(57)【要約】【課題】小型な振動吸収機構を有するマイクロフォン装置を提供する。【解決手段】マイクロフォン装置２は、マイクロフォンユニット３と、取付け装置４とを有する。取付け装置４は、カメラシュー２７に装着されるカメラシュー装着部４３と、これに固定されたダンパ収納筒４４とを有する。マイクロフォンユニット３から突出した突出部３８の内筒３８ａの下端に、ホルダ４６が固定されている。内筒３８ａの下端は、ホルダ４６を介して、ダンパ収納筒４４内の第２ダンパ４２によってピボット支持されている。突出部３８の途中は、ダンパ収納筒４４内の第１ダンパ４１によって支持されている。【選択図】図５
2015050681.tif 000002
【特許請求の範囲】
【請求項１】
少なくとも１つのマイクロフォンと、前記マイクロフォンを取り付けたケースと、前記ケースから下方に突出した突出部と、前記突出部の周囲から下方に突出した突起とを有するマイクロフォンユニットと、
デジタルカメラの本体に設けられたカメラシューに着脱自在に装着されるカメラシュー装着部と、
前記カメラシュー装着部に取り付けられたダンパ収納筒と、
前記突出部の下部に取り付けられたお碗型のホルダと、
前記突出部が挿入された状態で前記ダンパ収納筒内に取り付けられ、かつ前記突起と前記ホルダとの間に挟持されて、前記突出部の途中を支持する第１ダンパと、
前記ダンパ収納筒内で、前記ホルダの下部をピボット支持する第２ダンパと、
を備えることを特徴とするマイクロフォン装置。
【請求項２】
前記第１ダンパは、
前記突出部が挿入される内リングと、
前記内リングの外側に配置される外リングと、
前記内リングと外リングとを接続する複数のリブと、
前記内リングの内周面に形成され、前記突出部の回り止めをする位置決め凸部と、
を備えることを特徴とする請求項１記載のマイクロフォン装置。
【請求項３】
前記第２ダンパは、
前記ホルダに嵌合する筒部と、
前記カメラシュー装着部の内側にはめ込まれたリングと、
前記筒部と前記リングとを連結している皿状のダンパ本体と、
を備えることを特徴とする請求項１または２記載のマイクロフォン装置。
【請求項４】
前記突出部は、下部にネジ穴を有する円筒形をしており、前記ネジ穴にビスを螺合することで、前記ホルダが前記突出部の下部に固定されていることを特徴とする請求項１ないし３いずれか１項記載のマイクロフォン装置。
【発明の詳細な説明】
【技術分野】
【０００１】
本発明は、デジタルカメラに着脱自在に取り付けられるマイクロフォン装置に関するものである。
【背景技術】
【０００２】
最近は、静止画に加えて、長時間の動画も撮影できるデジタルカメラが広く普及している。このデジタルカメラでは、カメラ本体と、カメラ本体の前面に固定又は着脱自在に取り付けられるレンズ装置とを備えている。カメラ本体には、イメージセンサを含む撮像装置、画像処理装置、画像記録装置等が設けられている。
【０００３】
レンズ装置としては、一眼タイプ、ミラーレスタイプの高級カメラの場合は、着脱自在なズームレンズが用いられることが多い。このズームレンズでは、焦点調節時にはフォーカスレンズが、ズーミング時には変倍レンズが光軸方向に移動する。また、ズームレンズでは、手ブレ補正装置を備えたものが多い。この手ブレ補正装置は、カメラの移動に追従して、逆方向に補正レンズ又はイメージセンサを移動することで、像のブレを抑制するものである。ズームミング、焦点調節、手ブレ補正では、それぞれ個別のモータで行われる。これらのモータは、カメラ本体やレンズ装置内に収納されている。
【０００４】
動画撮影が可能なデジタルカメラでは、カメラ本体にサイズが小さな集音孔が複数個形成されている。これらの集音孔の背後に、例えば圧電タイプの簡単な内蔵マイクロフォンが配置されている。音声記録が指示されると、内蔵マイクロフォンで音声を音声信号に変換し、動画像の画像データとともに音声信号をメモリカード等の記録媒体に記録する。
【０００５】
動画の撮影中には、フォーカス用モータ、ズーム用モータ、手ブレ補正用モータが駆動しているため、カメラ本体内で発生した作動音が内蔵マイクロフォンで拾われることになる。また、ズームモータ等の作動に基づく細かい振動が内蔵マイクロフォンに伝わるため、内蔵マイクロフォンの振動音も発生する。この結果、例えば「ゴー」という連続的なノイズ音も記録されるので、高音質の録音をすることができなかった。
【０００６】
レンズ装置の作動に基づく音質劣化を回避するために、カメラ本体の外側に配置するとともに、防振構造にしたマイクロフォン装置も提案されている。例えば、特許文献１記載のマイクロフォン装置では、メタルケース内にマイクロフォンを収納し、後端部に基板が固定されたマイクロフォンユニット（マイクロフォンアッセンブリ）と、このマイクロフォンユニットの外側に配されたジャバラ状の弾性部材とを備え、弾性部材をデジタルカメラ（カメラ一体型ビデオテープレコーダー本体）のカメラ本体に形成した開口内に挿入してから、カメラ本体の固定壁もリングを介して取り付けている。このジャバラ状の弾性部材によって、レンズ装置の作動音がマイクロフォンユニットに伝達されないようにしている。
【先行技術文献】
【特許文献】
【０００７】
【特許文献１】実用新案登録第２５３０６０４号
【発明の概要】
【発明が解決しようとする課題】
【０００８】
特許文献１では、マイクロフォンユニットの揺動を小さくするためには、ジャバラ状の弾性部材でマイクロフォンユニットを２点以上で支持したり、ある程度長い範囲で支持する必要がある。このため、装置が大型化するという問題があった。そこで、マイクロフォンユニットのケース下方に突出する取付軸を設け、この取付軸の外周をダンパで支持することが考えられるが、この場合、平面方向の振動はダンパで吸収できるが、上下方向の振動はダンパで吸収しきれないという問題がある。さらに、特許文献１では、マイクロフォン装置は、カメラ本体に取り外し不可能に取り付けられているものであるため、音声付き動画撮影をしないときには邪魔になるという問題もある。
【０００９】
本発明は、振動伝達を小型な機構で防止するとともに、カメラ本体に着脱可能なマイクロフォン装置を提供することを目的とする。
【課題を解決するための手段】
【００１０】
上記目的を達成するため、本発明のマイクロフォン装置は、少なくとも１つのマイクロフォンと、マイクロフォンを取り付けたケースと、ケースから下方に突出した突出部と、突出部の周囲から下方に突出した突起とを有するマイクロフォンユニットと、デジタルカメラの本体に設けられたカメラシューに着脱自在に装着されるカメラシュー装着部と、カメラシュー装着部に取り付けられたダンパ収納筒と、突出部の下部に取り付けられたお碗型のホルダと、突出部が挿入された状態でダンパ収納筒内に取り付けられ、かつ突起とホルダとの間に挟持されて、突出部の途中を支持する第１ダンパと、ダンパ収納筒内で、ホルダの下部をピボット支持する第２ダンパと、を備える。
【００１１】
また、第１ダンパは、突出部が挿入される内リングと、内リングの外側に配置される外リングと、内リングと外リングとを接続する複数のリブと、内リングの内周面に形成され、突出部の回り止めをする位置決め凸部と、を備えることが好ましい。
【００１２】
さらに、第２ダンパは、ホルダに嵌合する筒部と、カメラシュー装着部の内側にはめ込まれたリングと、筒部とリングとを連結している皿状のダンパ本体と、を備えることが好ましい。
【００１３】
また、突出部は、下部にネジ穴を有する円筒形をしており、ネジ穴にビスを螺合することで、ホルダが突出部の下部に固定されていることが好ましい。
【発明の効果】
【００１４】
本発明によれば、マイクロフォンユニットのケース下方に突出した突出部に取り付けられるホルダと、突出部の周囲から下方に突出した突起との間に挟持された第１ダンパで、マイクロフォンユニットに水平方向の振動が伝達されないようにし、第２ダンパでホルダの下部をピボット支持して、マイクロフォンユニットに上下方向の振動が伝達されないようにするから、小型な機構で振動伝達を防止して、高品質な録音を行うことができる。
【００１５】
また、本発明は、カメラシューに着脱自在であるから、音声付き動画撮影をしないときには、マイクロフォン装置を取り外せるので、携帯や保管に便利である。
【図面の簡単な説明】
【００１６】
【図１】マイクロフォン装置をデジタルカメラに取り付けた状態の斜視図である。
【図２】マイクロフォン装置をデジタルカメラから取り外した状態を示す斜視図である。
【図３】分解したマイクロフォン装置を示す斜視図である。
【図４】マイクロフォンユニットの突出部とダンパ収納筒とを示す斜視図である。
【図５】マイクロフォン装置を示すＡ１−Ａ１断面図である。
【図６】分解したマイクロフォン装置を示すＡ１−Ａ１断面図である。
【図７】分解したカメラシュー装着部を示すＡ２−Ａ２断面図である。
【発明を実施するための形態】
【００１７】
図１及び図２に示すように、マイクロフォン装置２は、マイクロフォンユニット３と、取付け装置４とから構成されている。マイクロフォンユニット３は、ケース５と、このケース５に取り付けられた左マイクロフォン６及び右マイクロフォン７とを備える。マイクロフォン装置２は、カメラシュー２７を介してデジタルカメラ８に着脱自在に装着される。ケース５には、デジタルカメラ８にマイクロフォン６，７からの音声信号を送信するための接続コード９が取り付けられている。この接続コード９の先端には、ピンジャック１０が取り付けられている。この実施形態では、一眼レフカメラを示しているが、コンパクトカメラでもよく、またマイクロフォンは１つでもよい。
【００１８】
左右マイクロフォン６，７は、円筒状のトランスデューサ室１３と、このトランスデューサ室１３内に収納され、音を音声信号（電気信号）に変換するトランスデューサ１４とから構成されている。トランスデューサ室１３には、周囲の音をトランスデューサ１４に到達させるための集音孔１３ａが形成されている。ケース５内には、マイクロフォンユニット３の駆動を制御する制御基板１６が配されており、左右マイクロフォン６，７の各トランスデューサ１４、接続コード９は、制御基板１６に接続されている。制御基板１６の下方には、板状の重り１７（図６参照）が配されている。この重り１７により、左右マイクロフォン６，７が配された前側部分と、後側部分との重量バランスをとり、さらには、共振点を低い周波数にしている。
【００１９】
デジタルカメラ８は、カメラ本体８ａと、その前面に着脱自在に取り付けたレンズ装置２０とを備えている。カメラ本体８ａには、周知のように、イメージセンサを含む撮像装置、画像処理装置、画像・音声記録装置等が設けられている。レンズ装置２０は、レンズ鏡筒２１と、この中に配したズームレンズ系２２とを有する。また、レンズ鏡筒２１内には、ズーミングするためのズームモータ、焦点調節するためのフォーカスモータ、手ブレ補正をするための手ブレ補正用モータが収納されている。なお、これらのモータの一部は、カメラ本体８ａに設けられていてもよい。
【００２０】
カメラ本体８ａの上面には、レリーズボタン２５、モード設定ダイヤル２６、カメラシュー２７等が設けられている。モード設定ダイヤル２６は、静止画撮影モード、動画撮影モード、音声付き動画撮影モード、取り出し可能なメモリカードに保存した画像や音声を再生する再生モード等を選択する。カメラシュー２７は、マイクロフォン装置２の脚部５１を保持する一対の折り曲げ片２７ａと、カメラシュー２７にフラッシュ装置（図示せず）が装着されているときに、フラッシュトリガー信号を伝達するための接点２７ｂとを有する。
【００２１】
カメラ本体８ａの前側には、複数の集音孔３１が形成されている。この集音孔３１の背後には、簡易な内蔵マイクロフォンが配置され、動画撮影時の音声の記録や、音声だけの記録を行うことができる。しかし、この内蔵マイクロフォンには。ズームモータなどの作動音や、ズームモータ等からの振動が内蔵マイクロフォンに伝わって、内蔵マイクロフォンが振動することで発生するノイズ音が入るため、高音質の録音はできない。
【００２２】
カメラ本体８ａの側面には、コネクタ３２が設けられている。このコネクタ３２には、接続コード９のピンジャック１０が挿入される。マイクロフォン装置２からの音声信号は、接続コード９を介して、カメラ本体８ａ内の画像・音声記録装置に送られる。なお、コネクタ３２に外部記録装置を接続し、この外部記録装置の入力端子にピンジャック１０を挿入して、接続するようにしてもよい。この場合、マイクロフォン装置２からの音声信号は、接続コード９を介して、外部記録装置に送られる。また、外部記録装置を介してカメラ本体８ａ内の画像・音声記録装置に送るようにしてもよいのはいうまでもない。
【００２３】
マイクロフォン装置２を示す図３〜図６において、ケース５には、下面から突出した突出部３８が設けられている。この突出部３８は、内筒３８ａと、この内筒３８ａの外側に配された外筒３８ｂとからなる。内筒３８ａの下端には、ネジ孔３８ｃが形成されている。外筒３８ｂには、スリット３８ｄが１８０°ピッチで２個形成されている。外筒３８ｂは、一部が切り欠かれたＤカット形状となっている。また、ケース５には、突出部３８の周囲から下方に突出し、突出部３８よりも短い突起３９が設けられている。
【００２４】
マイクロフォンユニット３は、取付け装置４を介してカメラシュー２７に取り付けられる。取付け装置４は、弾性材料、例えばゴム製の第１ダンパ４１及び第２ダンパ４２と、カメラシュー２７に着脱自在に装着されるカメラシュー装着部４３と、このカメラシュー装着部４３に取り付けられ、第１，第２ダンパ４１，４２を収納する樹脂製のダンパ収納筒４４とを備えている。また、取付け装置４は、ダンパ収納筒４４内に配される樹脂製のホルダ４６と、第１ダンパ４１の上に載せられる押えリング４７とを備えている。
【００２５】
第１ダンパ４１は、突出部３８の途中を支持し、第２ダンパ４２は、ホルダ４６を介して内筒３８ａの下端をピボット支持する。これらの第１及び第２ダンパ４１，４２によって突出部３８を二点支持することで、カメラ本体８ａからの三次元の振動が、マイクロフォンユニット３に伝達されるのを防止する。これによって、一対のマイクロフォン６，７の振動が抑制されるので、その振動によるノイズ音の発生を防止する。
【００２６】
カメラシュー装着部４３は、カメラシュー２７に装着される脚部５１と、この脚部５１との間でカメラシュー２７を挟持する挟持リング５２と、脚部５１及びダンパ収納筒４４に取り付けられる取付台５３とからなる。
【００２７】
脚部５１は、カメラシュー２７の折り曲げ片２７ａに挿入される板部５１ａと、上部の外周に雄ネジが形成された筒部５１ｂとからなる。板部５１ａには、ビス挿通孔５１ｃが１８０°ピッチで２個形成されている（図７参照）。筒部５１ｂには、ビス挿通孔５１ｃに連通する２個の挿入孔５１ｄが形成されている。
【００２８】
挟持リング５２は、内周面に筒部５１ｂの雄ネジが螺合する雌ネジが形成されている。また、挟持リング５２の外周面には、挟持リング５２を指で回転操作する際の引っ掛けとなるローレットが全周に亘って形成されている。
【００２９】
取付台５３は、本体部５３ａと、この本体部５３ａの中央から下方に突出し、筒部５１ｂに挿入される円筒部５３ｂと、この円筒部５３ｂの外周に形成され、挿入孔５１ｄに挿入される２個の取付ボス５３ｃとからなる。２個の取付ボス５３ｃには、ネジ孔５３ｄが形成されている（図７参照）。
【００３０】
本体部５３ａには、第２ダンパ４２の径方向を位置決めする位置決めリブ５３ｅと、ボス５３ｆとが形成されている。ボス５３ｆは１８０°ピッチで２個形成され、それぞれビス挿通孔５３ｇが形成されている。本体部５３ａの下面には、筒部５１ｂの先端が挿入される凹部５３ｈが形成されている。円筒部５３ｂは、筒部５１ｂ内に挿入され、取付ボス５３ｃは、挿入孔５１ｄに挿入されている。この状態で、ビス６１が板部５１ａのビス挿通孔５１ｃを通して取付ボス５３ｃのネジ孔５３ｄにビス締めされ（図７参照）、脚部５１が取付台５３に固定される。
【００３１】
第１ダンパ４１は、内リング４１ａと、この内リング４１ａの外側に配置された外リング４１ｂとを備え、これら各リング４１ａ，４１ｂは、複数のリブ４１ｃで接続されている。
【００３２】
内リング４１ａの内周面には、突出部３８のスリット３８ｄに挿入され、突出部３８の回り止めをする凸部４１ｄが２個形成されている。この凸部４１ｄと周方向において同じ位置に形成されたリブ４１ｃの外周側端部は半円弧状に膨らんでおり、位置決め孔４１ｅが形成されている。
【００３３】
外リング４１ｂの内周面には、凸部４１ｄから９０°ずれた２箇所に凸部４１ｆが形成され、この凸部４１ｆには切欠き４１ｇが形成されている。凸部４１ｆが形成された位置には、リブ４１ｃは形成されていない。外リング４１ｂの上面には、押えリング４７を受ける受けリブ４１ｈが形成されている。
【００３４】
第２ダンパ４２は、上方からそれぞれ径の異なる筒部４２ａ、ダンパ本体４２ｂ、リング４２ｃからなる３段が形成され、下方に向かうにつれて径が大きくなる。第２ダンパ４２の中心部には、上下に貫通する取付孔４２ｄが形成されている。リング４２ｃの外周面には、取付台５３のボス５３ｆが挿入される切欠き４２ｅが２個形成されている。リング４２ｃの上面及び下面は、外周部にリブ４２ｆが形成されており、このリブ４２ｆが取付台５３の本体部５３ａに当接し、リブ４２ｆが形成されていない内側の部分は本体部５３ａから浮いた状態となっている。
【００３５】
押えリング４７は、第１ダンパ４１を上から押え付けるものであり、４個の切欠き４７ａが９０°ピッチで形成されている。
【００３６】
ダンパ収納筒４４は、第１ダンパ４１の周方向を位置決めする径の小さい位置決め用ボス４４ａと、第１ダンパ４１を固定する径の大きい固定用ボス４４ｂとが１８０°ピッチで２個ずつ形成されている。固定用ボス４４ｂは、位置決め用ボス４４ａから９０°ずれた位置に形成されている。固定用ボス４４ｂには、ネジ孔４４ｃが形成されている。位置決め用ボス４４ａの下面には、カメラシュー装着部４３の取付台５３を固定するためのネジ孔４４ｄが形成されている。
【００３７】
ダンパ収納筒４４の外周面には、凸部４４ｅが１８０°ピッチで２個形成され、これらの凸部４４ｅには、使用しないときに接続コード９を巻き付けた状態で嵌め込み固定するための切欠き４４ｆが形成されている。位置決め用ボス４４ａの先端は、第１ダンパ４１の位置決め孔４１ｅ、押えリング４７の切欠き４７ａに挿通される。また、固定用ボス４４ｂは、切欠き４１ｇに挿通されている。この状態で、ビス６２が切欠き４７ａを通してネジ孔４４ｃにビス締めされ、第２ダンパ４２及び押えリング４７がダンパ収納筒４４に固定される。なお、押えリング４７を用いずに、ビス６２をネジ孔４４ｃに直接ビス締めしてもよい。
【００３８】
ホルダ４６は、突出部３８が挿入されるお碗型の本体部４６ａと、この本体部４６ａの底面から突出し、本体部４６ａよりも小径の小径部４６ｂとからなる。本体部４６ａは、上面に第１ダンパ４１の内リング４１ａを受け止める肩部４６ｃが、底面に第２ダンパ４２の筒部４２ａが挿入される溝４６ｄがそれぞれ形成されている。小径部４６ｂには、ビス挿通孔４６ｅが形成されている。本体部４６ａの内周面には、ホルダ４６が回転しないようにするために、外筒３８ｂのＤカット部分に挿入される凸部４６ｆが形成されている。
【００３９】
マイクロフォンユニット３は、内筒３８ａが内リング４１ａを挿通し、外筒３８ｂのスリット３８ｄに凸部４１ｄが挿入されている。
【００４０】
ホルダ４６は、ダンパ収納筒４４の内部に配され、肩部４６ｃ内に第１ダンパ４１の内リング４１ａが入っている。また、ホルダ４６は、第２ダンパ４２の筒部４２ａが溝４６ｄに挿入され、小径部４６ｂが第２ダンパ４２の取付孔４２ｄに挿入されて第２ダンパ４２によりピボット支持されている。さらに、凸部４６ｆが、第１ダンパ４１を挿通された外筒３８ｂのＤカット部分に挿入され、ホルダ４６は回り止めされている。この状態で、ビス６３がビス挿通孔４６ｅを通してマイクロフォンユニット３の内筒３８ａに形成されたネジ孔３８ｃにビス締めされ、ホルダ４６及び第２ダンパ４２が固定される。マイクロフォンユニット３の突起３９は、内リング４１ａの上面を押えており、第１ダンパ４１は、突起３９とホルダ４６との間に挟持されている。
【００４１】
取付台５３は、本体部５３ａの凹部に第２ダンパ４２のリング４２ｃがはめ込まれている。第２ダンパ４２は、切欠き４２ｅにボス５３ｆが挿入されて周方向が位置決めされ、筒部４２ａの外側にある位置決めリブ５３ｅにより、径方向が位置決めされている。この状態で、ビス６４がビス挿通孔５３ｇを通してダンパ収納筒４４のネジ孔４４ｄにビス締めされ、取付台５３がダンパ収納筒４４に固定される。第２ダンパ４２は、取付台５３とホルダ４６との間に挟持されている。
【００４２】
次に、マイクロフォン装置２の作用について説明する。デジタルカメラ８で音声付き動画撮影を行うときは、マイクロフォン装置２を、カメラシュー２７に取り付ける。この際には、カメラシュー装着部４３の板部５１ａをカメラシュー２７に挿入した後、挟持リング５２を回転させて下方に移動させることで、図５に示すように、挟持リング５２と板部５１ａとの間で折り曲げ片２７ａを挟持する。
【００４３】
マイクロフォン装置２の装着後に、接続コード９のピンジャック１０を、デジタルカメラ８のコネクタ３２に接続する。マイクロフォンユニット３が接続されている場合、カメラ本体８ａ内の内蔵マイクロフォンはＯＦＦ状態となり、マイクロフォンユニット３による録音が行われる。マイクロフォンユニット３は、内蔵電池（図示せず）で駆動される。なお、デジタルカメラ８からの電力供給を受けてもよい。
【００４４】
モード設定ダイヤル２６を操作してデジタルカメラ８を音声付き動画撮影モードに切り換えてから、レリーズボタン２５を１回押して操作して動画撮影を開始する。動画撮影が開始されると、レンズ装置２０を通った撮影光は、カメラ本体８ａ内のイメージセンサに入射する。このイメージセンサにより、周知のように動画が撮影され、その画像データがメモリカードに記録される。
【００４５】
動画撮影と同時にシーンの音声は、マイクロフォン６，７に入り、そのトランスデューサ１４で音声信号に変換される。この音声信号は、制御基板１６でデジタル変換されてから、接続コード９を介してカメラ本体８ａに送信される。この音声データは、動画の画像データと対応付けられて、メモリカードまたは外部記録装置の記録媒体に記録される。
【００４６】
音声付き動画撮影中に、ズーミング、フォーカシング、手ブレ補正が連続的に行われる。この際に、複数のモータが作動するため、作動音や振動が発生する。モータの振動は、カメラ本体８ａを介して、マイクロフォン装置２に伝わろうとするが、弾性を有する第１ダンパ４１及び第２ダンパ４２によって、ピボット支持方式でかつ２点支持しているため、これらのダンパ４１，４２で吸収される。例えば、水平方向の振動によるマイクロフォンユニット３の揺れは、２つのダンパ４１，４２によって抑制され、上下方向の振動は、主として第１ダンパ４１によって抑制される。
【００４７】
また、モータの作動音は、マイクロフォン６，７がカメラ本体８ａから離れているので、これを集音することはない。この結果、高品質な録音を行うことができる。
【００４８】
さらに、マイクロフォンユニット３に突出部３８を設け、この突出部３８を第２ダンパ４２及び第１ダンパ４１を介して支持することで、マイクロフォンユニット３への振動を吸収しているので、マイクロフォンユニット３の外周にダンパを設けるものに比べて、小型化することができる。
【００４９】
また、第２ダンパ４２は、ホルダ４６の小径部４６ｂをピボット支持しているので、ジャバラ状のゴムでホルダの外周を支持するものに比べて、小型化することができる。
【００５０】
音声付き動画撮影を終了した場合、あるいは、デジタルカメラ８を保管する場合は、挟持リング５２を緩めてから、脚部５１をカメラシュー２７から外せば、マイクロフォン装置２をデジタルカメラ８から分離することができる。
【００５１】
なお、上記実施形態では、マイクロフォン装置のカメラシュー装着部を、カメラシューの１つであるホットシューに装着しているが、電気的な接続を行わないアクセサリシューに装着してもよい。
【００５２】
また、動画撮影を行わずに、マイクロフォン装置を用いて録音だけをすることもできる。この場合、録音データのみがデジタルカメラ内のメモリカードまたは外部記録装置の記録媒体に記録される。
【符号の説明】
【００５３】
２  マイクロフォン装置
３  マイクロフォンユニット
４  取付け装置
５  ケース
６，７  左右マイクロフォン
８  デジタルカメラ
８ａ  カメラ本体
２７  カメラシュー
３８  突出部
４１  第１ダンパ
４２  第２ダンパ
４３  カメラシュー装着部
４４  ダンパ収納筒
４６  ホルダ
【図１】
2015050681.tif 000003
【図２】
2015050681.tif 000004
【図３】
2015050681.tif 000005
【図４】
2015050681.tif 000006
【図５】
2015050681.tif 000007
【図６】
2015050681.tif 000008
【図７】
2015050681.tif 000009